(57)【要約】      （修正有）【課題】レーザー光を発生しているときに、温度の変化を検知可能であり、同一の位置に長時間留まることにより、過熱して細胞を傷害することを回避可能なレーザー伝導管ユニットを提供する。【解決手段】長くて中空形状を呈し、第１の端と、第２の端と、第１の端と第２の端とに沿って設けられている軸方向通路１１と、を有する拡張部材１０と、軸方向通路１１にスライド可能に設けられており、結合端と、結合端の反対側に位置する投射端２２と、を有し、結合端は、レーザー光を投射可能なレーザー機と連接するためのものであり、結合端により、レーザー光は投射端２２を介して拡張部材１０の周縁から散乱する伝導管２０と、レーザー機と電気的に接続し、伝導管２０に設けられており、投射端２２に近接する温度センサー４０と、を含む。【選択図】図２
0003201278.tif 000002
【実用新案登録請求の範囲】
【請求項１】
長くて中空形状を呈し、第１の端と、第２の端と、前記第１の端と前記第２の端とに沿って設けられている軸方向通路と、を有する拡張部材と、
前記軸方向通路にスライド可能に設けられており、結合端と、前記結合端の反対側に位置する投射端と、を有し、前記結合端は、レーザー光を投射可能なレーザー機と連接するためのものであり、前記結合端により、レーザー光は前記投射端を介して前記拡張部材の周縁から散乱する伝導管と、
前記レーザー機と電気的に接続し、前記伝導管に設けられており、前記投射端に近接する温度センサーと、を含むことを特徴とする、
レーザー伝導管ユニット。
【請求項２】
前記投射端は中空空間を有し、前記中空空間の内部に光線屈折安定器が設けられていることを特徴とする、請求項１に記載のレーザー伝導管ユニット。
【請求項３】
前記光線屈折安定器は、円錐状を呈し、その外面がチタン層に覆われていることを特徴とする、請求項１に記載のレーザー伝導管ユニット。
【請求項４】
前記温度センサーは、接触式、又は非接触式を採用することを特徴とする、請求項１に記載のレーザー伝導管ユニット。
【請求項５】
前記結合端の適当な箇所に信号送信器が設けられており、前記信号送信器は有線方式で前記温度センサーと接続し、前記伝導管の外周面には、その軸方向に沿う信号伝送配線が設けられており、前記信号伝送配線は、前記温度センサー及び前記信号送信器と接続することを特徴とする、請求項１に記載のレーザー伝導管ユニット。
【考案の詳細な説明】
【技術分野】
【０００１】
本考案は、レーザー伝導管ユニットに関し、特に、温度を検知する機能を有するレーザー伝導管ユニットに関するものである。
【背景技術】
【０００２】
特許文献１の中華民国実用新案Ｍ２７６５５７号は、膣に適用するレーザー活化器を提案した。このようなレーザー活化器は、機器本体を含む。機器本体は、電源スイッチと、電源表示ランプと、パワー調整ボタンと、パワー表示ランプと、レーザー光工作ボタンと、工作表示ランプと、充電コンセントと、レーザー光連接コンセントと、を有する。機器本体は、その内部に制御回路が設けられており、その外部に接続ケーブルが設けられている。接続ケーブルは、一端が機器本体の接続コンセントに差し込む接続プラグであり、他端が差込ヘッドである。差込ヘッドは、遮蔽信号伝送配線と、光ファイバー針カップリング金属継ぎ手と、半導体レーザー光機器と、平凸レンズ光線屈折安定器と、光ファイバー針差込穴と、を含む。差込ヘッドは膣に差し込むためのものである。
【０００３】
上記のレーザー活化器は、レーザー光を膣に射出して、膣の内部の細胞を活性化し、代謝を促進することが可能であるが、利用の過程中に、差込ヘッドが温度検知機能を有しないため、同一の位置に長時間に留まると、過熱して細胞を傷害する虞がある。そして差込ヘッドは、特定の機器本体だけに対応可能であり、異なる機器本体に対応することができない。このため、差込ヘッドの使用は極めて不便である。
【先行技術文献】
【特許文献】
【０００４】
【特許文献１】中華民国実用新案Ｍ２７６５５７号公報
【考案の概要】
【考案が解決しようとする課題】
【０００５】
本考案の目的は、伝導管に温度センサーが設けられているため、レーザー光が発生しているときに、温度の変化を検知可能であり、同一の位置に長時間留まることにより、過熱して細胞を傷害することを回避可能なレーザー伝導管ユニットを提供することにある。
【課題を解決するための手段】
【０００６】
本考案のレーザー伝導管ユニットは、長くて中空形状を呈し、第１の端と、第２の端と、前記第１の端と前記第２の端とに沿って設けられている軸方向通路と、を有する拡張部材と、前記軸方向通路にスライド可能に設けられており、結合端と、前記結合端の反対側に位置する投射端と、を有し、前記結合端は、レーザー光を投射可能なレーザー機と連接するためのものであり、前記結合端により、レーザー光は前記投射端を介して前記拡張部材の周縁から散乱する伝導管と、前記レーザー機と電気的に接続し、前記伝導管に設けられており、前記投射端に近接する温度センサーと、を含むことを特徴とする。
【０００７】
本考案のレーザー伝導管ユニットは、前記投射端は中空空間を有し、前記中空空間の内部に光線屈折安定器が設けられていることを特徴とする。
【０００８】
本考案のレーザー伝導管ユニットは、前記光線屈折安定器は、円錐状を呈し、その外面にチタン層が覆われていることを特徴とする。
【０００９】
本考案のレーザー伝導管ユニットは、前記温度センサーは、接触式、又は非接触式を採用することを特徴とする。
【００１０】
本考案のレーザー伝導管ユニットは、前記結合端の適当な箇所に信号送信器が設けられており、前記信号送信器は有線方式で前記温度センサーと接続し、前記伝導管の外周面には、その軸方向に沿う信号伝送配線が設けられており、前記信号伝送配線は、前記温度センサー及び前記信号送信器と接続することを特徴とする。
【考案の効果】
【００１１】
本考案のレーザー伝導管ユニットによれば、伝導管に温度センサーが設けられているため、レーザー光を発生しているときに、温度の変化を検知可能であり、同一の位置に長時間に留まることにより、過熱して細胞を傷害することを回避することが可能であるという効果を有する。
【図面の簡単な説明】
【００１２】
【図１】本考案の一実施形態を示す外観図である。
【図２】本考案の一実施形態の構造を示す分解斜視図１である。
【図３】本考案の一実施形態の構造を示す分解斜視図２である。
【図４】本考案の一実施形態がレーザー機と連接する状態を示す図である。
【図５】本考案の一実施形態とレーザー機とのブロック図である。
【図６】本考案の一実施形態の使用状態を示す図１である。
【図７】本考案の一実施形態の使用状態を示す図２である。
【考案を実施するための形態】
【００１３】
以下、本考案の実施形態を図面に基づいて説明する。本考案の実施形態の図面における各部材の寸法比率は、説明を容易に理解するために示され、実際の比率通りではない。
【００１４】
図１から図７を参照する。図１は本考案の一実施形態を示す外観図であり、図２は本考案の一実施形態の構造を示す分解斜視図１であり、図３は本考案の一実施形態の構造を示す分解斜視図２であり、図４は本考案の一実施形態がレーザー機と連接する状態を示す図であり、図５は本考案の一実施形態とレーザー機とのブロック図であり、図６は本考案の一実施形態の使用状態を示す図１であり、図７は本考案の一実施形態の使用状態を示す図２である。
本実施形態に係るレーザー伝導管ユニット１００は、拡張部材１０と、伝導管２０と、温度センサー４０と、を含む。
【００１５】
拡張部材１０は、長くて中空形状を呈し、ステンレスを採用する。拡張部材１０は、膣に挿し込み可能であり、膣の裏壁に押付ける。拡張部材１０は、第１の端と、第２の端と、第１の端と第２の端とに沿って設けられている軸方向通路１１と、を有する。
本実施形態では、拡張部材１０の第１の端が固定リング１２を有し、第２の端が中空状ベース１３を有する。固定リング１２と中空状ベース１３との間には、複数の条状体１４が等距離に環設されている。各条状体１４の断面形状は円形を呈する。固定リング１２の端面は、ほぼ円弧状を呈する。固定リング１２により、膣に拡張部材１０をスムーズに挿し込み可能である。固定リング１２の端面に通気穴１５が設けられている。
【００１６】
伝導管２０は、軸方向通路１１にスライド可能に設けられており、結合端２１と、結合端２１の反対側に位置する投射端２２と、を有する。結合端２１は外ねじである。投射端２２は、多方向に開放する中空空間２３を有する。中空空間２３は、円錐状を呈する光線屈折安定器２４を収容可能である。光線屈折安定器２４の背部に締結部材２５を螺合することにより、伝導管２０の端部に光線屈折安定器２４を固定する。これにより、光線屈折安定器２４は、伝導管２０の軸方向に位置し、その先端が結合端２１に向く。一方、光線屈折安定器２４の外面がチタン層に覆われているため、屈折効率を増加可能である。
【００１７】
アダプター３０は、環状を呈し、内ねじ３１と、外ねじ３２と、を有する。内ねじ３１は、伝導管２０の結合端に螺着されている。外ねじ３２は、レーザー光を投射可能なレーザー機２００のチューブ２０１に螺着されている。アダプター３０とチューブ２０１とは、螺合方式により結合するため、レーザー伝導管ユニット１００の組付け・分解が便利となり、必要によって、適合なレーザー伝導管ユニット１００を選択してレーザー機２００と連接して使用可能である。これにより、使用が極めて便利である。
【００１８】
温度センサー４０は、接触式、又は非接触式を採用する。温度センサー４０は、レーザー機２００と電気的に接続し、伝導管２０に設けられており、投射端２２に近接する。本実施形態では、伝導管２０の結合端２１の適当な箇所に信号送信器４１が設けられている。伝導管２０の外周面には、その軸方向に沿う信号伝送配線４２が設けられている。信号伝送配線４２は、温度センサー４０及び信号送信器４１と接続する。
図５に示すように、レーザー機２００には、信号受信器２０２と、光源強さ調整器２０３とが設けられている。
【００１９】
次に、本実施形態に係るレーザー伝導管ユニット１００の使用状態を説明する。温度センサー４０により、温度が検知されて温度信号に変換して、信号伝送配線４２を介して信号送信器４１に伝送される。信号送信器４１により、当該温度信号がレーザー機２００の信号受信器２０２に伝送される。この後、光源強さ調整器２０３により、レーザー光の強さが調整されるため、過熱して細胞を傷害することを回避することが可能である。もちろん、信号送信器４１は、当該温度信号を、スクリーン表示機能を有する電子装置（例えば携帯電話やコンピューターなど）に伝送してもよい。そうすると、温度の変化を常時監視可能である。
【００２０】
図６及び図７を参照する。伝導管２０が拡張部材１０の軸方向通路１１を挿通し、レーザー光を光線屈折安定器２４に投射する。レーザー光は、光線屈折安定器２４を経由して、拡張部材１０の外部に射出する。温度センサー４０により、膣の内部の温度を検知可能であるため、レーザー伝導管ユニット１００が同一の位置に長時間留まることにより、過熱して膣の細胞を傷害することを回避することが可能である。これにより、操作者は、温度センサー４０によって温度を検知して、伝導管２０と拡張部材１０との軸方向での位置を調整することが可能である。ひいてはレーザー光によって、膣の異なる位置で細胞を活性化することが可能である。
【００２１】
以上、本考案の特定の例を参照して説明したが、それらの例は、説明のためだけのものであり、本考案を限定するものではない。この分野における通常の知識を有する者には、本考案の要旨および実用新案登録請求の範囲を逸脱することなく、ここで開示された実施例に変更、追加、または、削除を施してもよい。
【符号の説明】
【００２２】
１０    拡張部材
１１    軸方向通路
１２    固定リング
１３    中空状ベース
１４    条状体
１５    通気穴
２０    伝導管
２１    結合端
２２    投射端
２３    中空空間
２４    光線屈折安定器
２５    締結部材
３０    アダプター
３１    内ねじ
３２    外ねじ
４０    温度センサー
４１    信号送信器
４２    信号伝送配線
１００  レーザー伝導管ユニット
２００  レーザー機
２０１  チューブ
２０２  信号受信器
２０３  光源強さ調整器
【図１】
0003201278.tif 000003
【図２】
0003201278.tif 000004
【図３】
0003201278.tif 000005
【図４】
0003201278.tif 000006
【図５】
0003201278.tif 000007
【図６】
0003201278.tif 000008
【図７】
0003201278.tif 000009
【手続補正書】
【提出日】平成27年9月24日(2015.9.24)
【手続補正１】
【補正対象書類名】実用新案登録請求の範囲
【補正対象項目名】全文
【補正方法】変更
【補正の内容】
【実用新案登録請求の範囲】
【請求項１】
長くて中空形状を呈し、第１の端と、第２の端と、前記第１の端と前記第２の端とに沿って設けられている軸方向通路と、を有する拡張部材と、
前記軸方向通路にスライド可能に設けられており、結合端と、前記結合端の反対側に位置する投射端と、を有し、前記結合端は、レーザー光を投射可能なレーザー機と連接するためのものであり、前記結合端により、レーザー光は前記投射端を介して前記拡張部材の周縁から散乱する伝導管と、
前記レーザー機と電気的に接続し、前記伝導管に設けられており、前記投射端に近接する温度センサーと、を含むことを特徴とする、
レーザー伝導管ユニット。
【請求項２】
前記投射端は中空空間を有し、前記中空空間の内部に光線屈折安定器が設けられていることを特徴とする、請求項１に記載のレーザー伝導管ユニット。
【請求項３】
前記光線屈折安定器は、円錐状を呈し、その外面がチタン層に覆われていることを特徴とする、請求項２に記載のレーザー伝導管ユニット。
【請求項４】
前記温度センサーは、接触式、又は非接触式を採用することを特徴とする、請求項１に記載のレーザー伝導管ユニット。
【請求項５】
前記結合端の適当な箇所に信号送信器が設けられており、前記信号送信器は有線方式で前記温度センサーと接続し、前記伝導管の外周面には、その軸方向に沿う信号伝送配線が設けられており、前記信号伝送配線は、前記温度センサー及び前記信号送信器と接続することを特徴とする、請求項１に記載のレーザー伝導管ユニット。